(57)【要約】【課題】入浴者の入浴状態を適切に表示させることのできる浴室システムを提供する。【解決手段】浴槽Ｂ内に給湯を行うための給湯装置本体１と、この給湯装置本体１を遠隔操作するための台所リモコン２と、入浴者の心拍動作を検出するための心拍電極６とを備える浴室システムであって、浴槽Ｂ内にいる入浴者を検出するための撮像センサ５と、撮像センサ５によって入浴者が検出されないとき、浴槽Ｂ内には入浴者がいない旨を台所リモコン２において報知するとともに、撮像センサ５によって入浴者が検出され、かつ心拍電極６によって心拍数が検出されないとき、入浴者が異常状態にあるとしてその旨を台所リモコン２において報知するよう制御する計測装置４とを備える。【選択図】  図６
2004337414.tif 000002
【特許請求の範囲】
【請求項１】
浴槽内に給湯を行うための給湯装置と、この給湯装置を遠隔操作するための遠隔操作装置と、入浴者の心拍動作を検出するための心拍検出手段とを備える浴室システムであって、
前記浴槽内にいる入浴者を検出するための入浴者検出手段と、
前記入浴者検出手段によって入浴者が検出されないとき、前記浴槽内には入浴者がいない旨を前記遠隔操作装置において報知するとともに、前記入浴者検出手段によって入浴者が検出され、かつ前記心拍数検出手段によって心拍数が検出されないとき、入浴者が異常状態にあるとしてその旨を前記遠隔操作装置において報知する報知制御手段と、
を備えることを特徴とする浴室システム。
【請求項２】
前記入浴者検出手段は、入浴者の前記浴槽内における動きを検出する撮像手段によって構成されている、請求項１に記載の浴室システム。
【請求項３】
前記入浴者検出手段は、前記浴槽内に溜められた湯水の水位を検出するための水位検出手段によって構成されている、請求項１に記載の浴室システム。
【発明の詳細な説明】
【０００１】
【発明の属する技術分野】
本願発明は、入浴しながら心拍数を計測することのできる心拍数計測機能が付加された浴室システムに関する。
【０００２】
【従来の技術】
従来より、浴槽などに給湯を行うものとしては、給湯装置本体と、それに２芯線などによって接続された浴室リモコンや台所リモコンとを備えて構成された浴室システムがある。
【０００３】
給湯装置本体は、給湯用、風呂追い焚き用および温水暖房用などの熱交換器を備える燃焼ユニットと、この燃焼ユニットを制御するマイクロコンピュータ（以下、単に「マイコン」という。）を備える制御部とが設けられている。一方、浴室リモコンや台所リモコンは、給湯装置本体の給湯運転を遠隔操作するためのものであり、操作スイッチや液晶表示器などを有する操作表示部が備えられている。浴室リモコンや台所リモコンには、給湯装置本体から２芯線などの接続線を介して電源が供給される。
【０００４】
一方、入浴しているユーザの心拍数を計測するための心拍センサおよび計測装置を備えた浴室システムが提案されている（たとえば、特許文献１参照。）。このような浴室システムの中には、上記計測装置に対して給湯装置本体から電源電圧が供給され、計測装置で計測した心拍数を浴室リモコンなどの操作表示部に表示するものもある。
【０００５】
【特許文献１】
特開平１０−１２７５９１号公報
【０００６】
【発明が解決しようとする課題】
上記浴室システムによれば、ユーザが入浴すれば、心拍センサによってユーザの心拍数が検出され、計測装置によって心拍数が計測されると、たとえば浴室リモコンの操作表示部に、計測された心拍数が表示される。これにより、ユーザは、自己の心拍数を確認することができ、健康を管理するための情報として活用することができる。
【０００７】
また、計測装置によって計測された心拍数のデータは、たとえば台所に設置された台所リモコンに送られ、台所リモコンにおいても表示される。そのため、台所リモコン近傍にいる他のユーザは、台所リモコンに表示される心拍数を確認することにより、入浴者の心拍数を台所にいながら把握することができる。
【０００８】
一方、上記浴室リモコンおよび台所リモコンに表示される心拍数は、通常、数値によって表示されるが、たとえば心拍センサによって心拍数が検出されない場合、台所リモコンには、たとえば「０」の表示や「−」の表示がされる。
【０００９】
しかしながら、台所リモコンにおける「０」表示や「−」表示では、台所リモコンの表示部を見て入浴者の様子を確認しているユーザは、入浴者が浴槽から出ているのか、あるいは浴槽内において心拍を検出しているにもかかわらず入浴者の心拍が停止しているために表示が出力されないのかが判断できない。そのため、台所において台所リモコンの表示部を見ていたユーザは、入浴者の浴室内における状態が把握できないために、わざわざ浴室まで行って入浴者の状態を確認しなければならないといったことがあり、はなはだ不便であった。
【００１０】
【発明の開示】
本願発明は、上記した事情のもとで考え出されたものであって、入浴者の入浴状態を適切に表示させることのできる浴室システムを提供することを、その課題とする。
【００１１】
上記の課題を解決するため、本願発明では、次の技術的手段を講じている。
【００１２】
本願発明にかかる浴室システムは、浴槽内に給湯を行うための給湯装置と、この給湯装置を遠隔操作するための遠隔操作装置と、入浴者の心拍動作を検出するための心拍検出手段とを備える浴室システムであって、前記浴槽内にいる入浴者を検出するための入浴者検出手段と、前記入浴者検出手段によって入浴者が検出されないとき、前記浴槽内には入浴者がいない旨を前記遠隔操作装置において報知するとともに、前記入浴者検出手段によって入浴者が検出され、かつ前記心拍数検出手段によって心拍数が検出されないとき、入浴者が異常状態にあるとしてその旨を前記遠隔操作装置において報知する報知制御手段とを備えることを特徴としている。
【００１３】
好ましい実施の形態によれば、前記入浴者検出手段は、入浴者の前記浴槽内における動きを検出する撮像手段（たとえば撮像センサ）によって構成されていてもよい。
【００１４】
また、前記入浴者検出手段は、前記浴槽内に溜められた湯水の水位を検出するための水位検出手段（たとえば水位検出センサ）によって構成されていてもよい。
【００１５】
上記構成によれば、入浴者検出手段によって入浴者が検出されないとき、浴槽内には入浴者がいない旨を遠隔操作装置（たとえば台所リモコン）において報知する。一方、入浴者検出手段によって入浴者が検出され、かつ心拍数検出手段によって心拍数が検出されないとき、入浴者が異常状態にあるとしてその旨を台所リモコンにおいて報知する。そのため、台所リモコン近傍にいるユーザは、入浴者が浴槽内にいるのか否かが把握でき、さらに入浴者が浴槽内にいることが検出されているのにもかかわらず心拍数が検出されない場合、入浴者が浴槽内において異常状態にあることを確実に把握することができる。したがって、台所リモコンの表示を見て入浴者の様子を確認しているユーザは、入浴者の浴室内における状態が把握できないために、わざわざ浴室まで行って入浴者の状態を確認しなければならないといったことがなくなり、利便性の高い浴室システムを提供することができる。
【００１６】
本願発明のその他の特徴および利点は、添付図面を参照して以下に行う詳細な説明によって、より明らかとなろう。
【００１７】
【発明の実施の形態】
以下、本願発明の好ましい実施の形態を、添付図面を参照して具体的に説明する。
【００１８】
図１は、本願発明にかかる浴室システムを示す概略構成図である。図２は、この浴室システムの電気的構成を示す図である。この浴室システムは、給湯装置本体１と、これを遠隔操作するための台所リモコン２および浴室リモコン３と、入浴者の心拍数を計測するための計測装置４と、ユーザが浴槽Ｂ内にいるか否かを検出するための撮像センサ５（請求項に記載の撮像手段に相当）と、複数の心拍電極６ａ，６ｂ，６ｃ（以下、総称するときは「心拍電極６」という。）とによって概略構成されている。給湯装置本体１は、２芯線７を介して台所リモコン２、浴室リモコン３、および計測装置４を接続している。
【００１９】
給湯装置本体１は、図２に示すように、たとえば住宅の屋外に設置され、給湯用、風呂追い焚き用、または温水暖房用の熱交換器、各種燃焼器、および各種バルブなど（いずれも図示せず）を含む燃焼ユニット１０と、給湯装置本体１の全体動作を制御する制御部１１とを備えている。
【００２０】
制御部１１は、たとえば電子部品が搭載された１枚のプリント基板によって構成され、マイクロコンピュータ１２（以下、「本体側マイコン１２」という）、ＥＥＰＲＯＭ１３、および通信部１４などを有している。本体側マイコン１２は、給湯装置本体１の制御中枢となるものであり、図示しないＲＯＭに記憶されている運転実行プログラム、あるいは台所リモコン２、浴室リモコン３や図示しない暖房用機器などから送られる操作信号などに基づいて、各種燃焼器の燃焼状態や各種バルブの開閉を制御する。
【００２１】
また、制御部１１は、計測装置４から入浴者の心拍数の情報を受け取ると、それを台所リモコン２や浴室リモコン３の表示部（後述）に表示させるために、それらに伝達する機能を有する。
【００２２】
ＥＥＰＲＯＭ１３は、各種のデータを必要に応じて記憶するものである。
【００２３】
通信部１４は、台所リモコン２や浴室リモコン３との通信を行うためのものであり、所定の変復調方式に基づいた変復調回路によって構成されている。給湯装置本体１から台所リモコン２および浴室リモコン３に対しては、２芯線７を介して電源供給（たとえばＤＣ１５Ｖ）がされており、上記通信部１４において変調されたデータ信号は、電源電圧に重畳され、この２芯線７を介して台所リモコン２および浴室リモコン３に伝達される。また、台所リモコン２および浴室リモコン３から上記２芯線７を介して伝達された操作信号としてのデータ信号は、上記通信部１４において復調され、本体側マイコン１２に送られる。
【００２４】
台所リモコン２は、図３に示すように、たとえばキッチンの流し台近傍に設置された略直方体形状のケースを備えており、ユーザによる操作に基づいて、給湯装置本体１を遠隔操作する。台所リモコン２は、制御部２１、通信部２２、表示部２３、および操作部２４を備えている。制御部２１は、マイクロコンピュータ２５（以下、単に「台所側マイコン２５」という）、およびＥＥＰＲＯＭ２６を備えている。
【００２５】
台所側マイコン２５は、この台所リモコン２の制御を司るものであり、図示しないＲＯＭによって記憶されている運転実行プログラムや、ユーザによる操作部２４の操作内容に基づいて、各部の動作制御やデータ処理を実行し、たとえば給湯温度、風呂湯温の設定温度、およびバーナの点火状況などを必要に応じて表示部２３に表示したり、スピーカ２４ｅ（後述）から給湯運転に関する音声を出力したりする。
【００２６】
また、台所側マイコン２５は、計測装置４によって計測された入浴者の心拍数の情報を給湯装置本体１から受け取ると、表示部２３に表示させる機能を有する。
【００２７】
ＥＥＰＲＯＭ２６は、各種のデータを必要に応じて記憶するものである。
【００２８】
通信部２２は、給湯装置本体１や浴室リモコン３との通信を行うためのものであり、所定の変復調方式に基づいた変復調回路によって構成されている。給湯装置本体１から２芯線７を介して伝達されたデータ信号は、この通信部２２において復調され、台所側マイコン２５に送られる。また、通信部２２において変調されたデータ信号は、２芯線７を介して給湯装置本体１に伝達される。また、浴室リモコン３から給湯装置本体１を介して伝達されたデータ信号は、この通信部２２において復調され、台所側マイコン２５に送られる。また、通信部２２において変調されたデータ信号は、給湯装置本体１を介して浴室リモコン３に伝達される。
【００２９】
表示部２３は、図３に示したように、たとえば多数の蛍光体をドットマトリクス状に配置した蛍光管や液晶ディスプレイ装置などからなり、台所側マイコン２５からの指令により風呂湯の設定温度やバーナの点火状況などを表示する。さらに、計測装置４によって計測された入浴者の心拍数の情報を表示する。そのため、たとえば高齢者や要介護者などが入浴しているときに、その入浴者の状態を入浴者の心拍数などを通じて台所において監視することができる。
【００３０】
操作部２４は、ユーザによって給湯運転や暖房運転などを行うために操作されるものであって、複数のキースイッチからなる。具体的には、運転の発停を行うためのスイッチ２４ａ、湯水の温度の設定などといった各種の設定を行うための設定スイッチ２４ｂ、ユーザの操作により自動で湯張りや保温などを行うための風呂自動スイッチ２４ｃ、および台所にいる者が必要に応じて入浴者と通話するための通話スイッチ２４ｄなどが設けられている。ユーザによって、これらのキースイッチが操作されると、その操作信号が台所側マイコン２５に送られる。なお、図３中、符号２４ｅはスピーカを示す。
【００３１】
一方、浴室リモコン３は、図４に示すように、浴室内の浴槽Ｂの近傍などに設置された、防水機能が施されたケースを備えており、台所リモコン２と同様に、給湯装置本体１を遠隔操作する。浴室リモコン３は、図２に示すように、制御部３１、通信部３２、表示部３３、および操作部３４を備えている。制御部３１は、マイクロコンピュータ３５（以下、単に「浴室側マイコン３５」という）、およびＥＥＰＲＯＭ３６を備えている。
【００３２】
浴室側マイコン３５は、この浴室リモコン３の制御を司るものであり、図示しないＲＯＭによって記憶されている実行プログラムや、ユーザによる操作部３４の操作内容に基づいて、各部の動作制御やデータ処理を実行し、たとえば給湯温度、風呂湯温の設定温度、およびバーナの点火状況などを必要に応じて表示部３３に表示したり、スピーカ３４ｇ（後述）から給湯運転に関する音声を出力したりする。
【００３３】
ＥＥＰＲＯＭ３６は、各種のデータを必要に応じて記憶するものである。
【００３４】
通信部３２は、給湯装置本体１や台所リモコン２との通信を行うためのものであり、所定の変復調方式に基づいた変復調回路によって構成されている。給湯装置本体１からあるいは台所リモコン２から２芯線７を介して伝達されたデータ信号は、この通信部３２において復調され、浴室側マイコン３５に送られる。また、通信部３２において変調された信号は、２芯線７を介して給湯装置本体１にあるいは台所リモコン２に伝達される。
【００３５】
表示部３３は、図４に示すように、たとえば多数の蛍光体をドットマトリクス状に配置した蛍光管や液晶ディスプレイ装置などからなり、台所リモコン２の表示部２３と同様に、浴室側マイコン３５からの指令により風呂湯の設定温度やバーナの点火状況などを表示する。さらに、入浴者の心拍数を表示する。
【００３６】
操作部３４は、ユーザによって給湯運転を入力するために操作されるものであって、複数のキースイッチからなる。具体的には、運転の発停を行うためのスイッチ３４ａ、湯水の温度の設定などといった各種の設定を行うための設定スイッチ３４ｂ、優先スイッチ３４ｃ、ユーザが操作をすると自動で湯張りや保温などを行うための風呂自動スイッチ３４ｄ、追い焚き運転を行うための追い焚きスイッチ３４ｅ、および入浴者が必要に応じて台所にいる者と通話するための通話スイッチ３４ｆなどが設けられている。ユーザによって、これらのキースイッチが操作されると、その操作信号が浴室側マイコン３５に送られる。なお、図４中、符号３４ｇはスピーカを示す。
【００３７】
図１および図２に戻り、計測装置４は、入浴者の心拍数を計測するためのものであり、浴室内の浴槽Ｂに設けられている。計測装置４は、制御部４１および通信部４２を備えている。制御部４１は、マイクロコンピュータ４３（以下、単に「計測側マイコン４３」という）、ＥＥＰＲＯＭ４４、画像処理部４５、および信号処理部４６を備えている。画像処理部４５には、撮像センサ５が接続され、信号処理部４６には、複数の心拍電極６が接続されている。
【００３８】
計測側マイコン４３は、この計測装置４の制御を司るものであり、図示しないＲＯＭによって記憶されている実行プログラムや撮像センサ５および心拍電極６からの出力に基づいてデータ処理を実行する。たとえば、計測側マイコン４３は、心拍電極６によって検出された心拍電圧に基づいて、入浴者の心拍数を演算によって求める。また、計測側マイコン４３は、撮像センサ５からの出力などに基づいて、入浴者の安全監視制御（後述）を行う。
【００３９】
ＥＥＰＲＯＭ４４は、各種のデータを必要に応じて記憶するものである。
【００４０】
画像処理部４５は、撮像センサ５によって撮像された撮像信号を取り込み、所定の処理を施して入浴者が浴槽Ｂ内にはいったか否かを検出するためのものである。画像処理部４５では、たとえばオプティカルフローを用いたアルゴリズムが用いられる。具体的には、画像処理部４５は、撮像センサ５によって撮像された１フレームの撮像信号を一定時間ごとに取り入れ、現在の画像と前回の画像との明暗に基づく差分を示す差分画像を得る。次いで、差分画像の各画素におけるベクトルを求め、さらに各画素における平均ベクトル量、すなわちオプティカルフローを演算により求める。そして、その平均ベクトル量が所定のしきい値を越えた場合、入浴者が浴槽Ｂ内にはいったと判別する。
【００４１】
信号処理部４６は、心拍電極６によって検出された心拍信号としてのアナログ信号を所定のディジタル信号に変換して計測側マイコン４３に与えるものである。より具体的には、信号処理部４６は、図５に示すように、心拍電極６によって検出された心拍信号に含まれる高周波のインパルスノイズを除去するための第１フィルタ回路４６ａと、この第１フィルタ回路４６ａによって得られた心拍信号を増幅するための差動増幅回路４６ｂと、差動増幅回路４６ｂによって増幅された心拍信号に含まれる電源周波数以上のノイズを除去するための第２フィルタ回路４６ｃと、この第２フィルタ回路４６ｃによって得られた心拍信号をさらに増幅するための増幅回路４６ｄとを有している。
【００４２】
通信部４２は、給湯装置本体１との通信を行うためのものであり、所定の変復調方式に基づいた変復調回路によって構成されている。給湯装置本体１から２芯線７を介して伝達されたデータ信号は、この通信部４２において復調され、計測側マイコン４３に送られる。また、通信部４２において変調された信号は、２芯線７を介して給湯装置本体１に伝達される。
【００４３】
また、計測装置４は、給湯装置本体１からこの２芯線７を介して電源供給（たとえばＤＣ１５Ｖ）がされており、上記したデータ信号は、電源電圧に重畳されて送られる。
【００４４】
撮像センサ５は、浴槽Ｂ内にいる入浴者の状態を撮像するためのセンサである。この撮像センサ５は、図１に示したように、浴室内の浴槽Ｂ上部の天井近傍などに配置されて設けられ、たとえば人工網膜センサによって構成されている。撮像センサ５の出力は、浴室内に設けられた計測装置４の画像処理部４５に直接的に接続されている。なお、撮像センサ５は、給湯装置本体１に直接的に接続されていてもよい。この場合、給湯装置本体１に画像処理部４５が設けられている。また、撮像センサ５は、上記に限らず、固体撮像素子を有するカメラや焦電型赤外線センサなどによって構成されていてもよい。
【００４５】
心拍電極６は、図１に示したように、浴槽Ｂ内に設けられている。詳細には、心拍電極６ａ，６ｂは、浴槽Ｂ内に溜められた湯水に浸っている入浴者の両側、すなわち浴槽Ｂの左右両側壁に設けられている。また、心拍電極６ｃは、浴槽Ｂの一端側側壁に設けられている。心拍電極６ａ，６ｂ，６ｃは、浴槽Ｂにおいてほぼ同様の高さ位置に配置されている。この心拍電極６によって検出された心拍信号は、計測装置４の信号処理部４６に送られる。
【００４６】
次に、上記の構成における作用について、図６に示すフローチャートを参照して説明する。
【００４７】
まず、計測側マイコン４３は、撮像センサ５からの撮像信号を常時監視し、これに基づいて浴槽Ｂ内にユーザが進入したか否かの判別を行う（Ｓ１）。すなわち、撮像センサ５によって撮像された撮像信号は、画像処理部４５に伝達される。画像処理部４５ではその撮像信号がたとえばオプティカルフローのアルゴリズムに基づいて解析される。これにより、計測側マイコン４３は、解析された撮像信号に基づいてユーザが浴槽Ｂ内に進入しないと判別した場合（Ｓ１：ＮＯ）、その旨をデータにして通信部４２および２芯線７を介して台所リモコン２に伝達する。
【００４８】
台所リモコン２は、伝達されたデータを受信すると、それを外部に報知する（Ｓ２）。すなわち、台所リモコン２は、心拍数のデータを表示部２３に、たとえば「ニュウヨクシャナシ」といった文字を表示する。また、台所リモコン２は、浴槽Ｂ内にユーザがいない旨を音声にして操作部３４のスピーカ２４ｅから出力するようにしてもよい。これにより、台所にいる他のユーザは、台所リモコン２における表示またはスピーカ２４ｅからの音声により、浴槽Ｂ内には入浴者がいないことを把握することができる。
【００４９】
一方、ユーザが浴槽Ｂ内に入ると、計測側マイコン４３は、撮像センサ５によって撮像された撮像信号に基づいて浴槽Ｂ内にユーザがいると判別した場合（Ｓ１：ＹＥＳ）、心拍検出されたか否かの判別を行う（Ｓ３）。具体的には、心拍電極６からの検出信号を監視し、心拍電極６からの検出信号を受信したか否かによって判別を行う。
【００５０】
心拍電極６は、浴槽Ｂ内にいるユーザの心拍を検出し、検出された検出信号は、計測装置４の信号処理部４６に伝達される。信号処理部４６では、心拍電極６によって検出された心拍信号をアナログ−ディジタル変換した後、サンプリングし、所定のディジタル信号に変換した上で、それを計測側マイコン４３に伝達する。
【００５１】
計測側マイコン４３は、信号処理部４６からの検出信号を受信すると（Ｓ３：ＹＥＳ）、それに基づいてユーザ（入浴者）の心拍数を計測する（Ｓ４）。計測側マイコン４３は、計測した心拍数をデータにして通信部４２および２芯線７を介して台所リモコン２に伝達する。
【００５２】
台所リモコン２は、伝達された心拍数のデータを受信すると、それを外部に報知する（Ｓ５）。すなわち、台所リモコン２は、心拍数のデータを表示部２３に心拍数として表示する。また、台所リモコン２は、心拍数を音声にして操作部２４のスピーカ２４ｅから出力する。これにより、台所にいるユーザは、台所リモコン２における表示およびスピーカ２４ｅからの音声により、入浴者の心拍数を確認することができるとともに、入浴者が浴槽Ｂ内にはいっており心拍検出が良好に行われたことを把握することができる。
【００５３】
なお、心拍数のデータは、計測装置４から浴室リモコン３に送られ、浴室リモコン３において表示や音声が出力される。これにより、入浴者は、自己の心拍数を把握することができる。また、心拍数のデータは、一旦、給湯装置本体１に伝達され、その後、浴室マイコン３および台所マイコン２に間接的に伝達されてもよい。
【００５４】
一方、ステップＳ３において、計測側マイコン４３は、心拍電極６からの検出信号がないと判別した場合（Ｓ３：ＮＯ）、ユーザが浴槽Ｂ内にはいっているのにもかかわらず、心拍電極６からの検出信号がないため、入浴者に何らかの異常（たとえば心拍数の低下）が生じたと認識する（Ｓ６）。
【００５５】
計測側マイコン４３は、入浴者に心拍数低下などの異常が生じたと認識すると、その旨を即座に台所リモコン２に伝達する。台所リモコン２は、計測装置４から伝達されたデータを受信すると、それを外部に報知する（Ｓ７）。
【００５６】
具体的には、台所リモコン２は、入浴者に何らかの異常が生じた旨（たとえば「ユーザノイジョウ」といった文字）を表示部２３に表示する。また、台所リモコン２は、その旨を音声にして操作部２４のスピーカ２４ｅから出力させる。これにより、台所にいるユーザは、台所リモコン２における表示およびスピーカ２４ｅからの音声により、入浴者に異常が生じたことを知ることができ、それに伴う適当な処置を施すことができる。
【００５７】
このように、この実施形態によれば、撮像センサ５によってユーザが浴槽Ｂ内にいることが検出され、入浴者がいない場合には、その旨を台所リモコン２において報知する。そのため、台所リモコン２近傍にいるユーザは、入浴者が浴槽Ｂ内にいるか否かを把握することができる。また、入浴者が浴槽Ｂ内にいることが検出されているのにもかかわらず心拍数が検出されない場合、入浴者に異常が生じたことを台所リモコン２において報知する。そのため、台所リモコン２近傍にいるユーザは、入浴者の浴室内における状態が把握できないために、わざわざ浴室まで行って入浴者の状態を確認しなければならないといったことがなくなる。したがって、利便性の高い浴室システムを提供することができる。
【００５８】
なお、浴槽Ｂ内に入浴者がいるか否かを検出する方法としては、上記撮像センサ５に代えて、図７に示すように、浴槽Ｂ内に溜められた湯水の水位上昇を検出する水位検出センサ９（請求項に記載の水位検出手段に相当）によって浴槽Ｂ内に入浴者がいるか否かを検出するようにしてもよい。この水位検出センサ９は、たとえば浴槽Ｂの水頭圧と大気圧との差圧によって水位を検出するものである。そのため、受圧部の大気側は、ブリーザパイプ９ａ（図１参照）によって浴室外（大気）に開放されている。この水位検出センサ９によって検出された検出信号は、たとえば計測装置４に送られ処理される。
【００５９】
また、このような浴槽Ｂの水頭圧と大気圧との差圧に基づいて検出する方法に代えて、たとえば給湯装置本体１に設けられた圧力センサによって湯水の水位上昇を検出する方法を用いてもよい。すなわち、この圧力センサは、浴槽Ｂと給湯装置本体１とを接続する給湯配管（図示略）の一端である、給湯装置本体１側に設けられ、給湯配管内の圧力を検出することにより、浴槽Ｂ内に溜められた湯水の水位上昇を検出するものである。この圧力センセによって検出された検出信号は、計測側マイコン４３に送られ、入浴者が浴槽Ｂ内にいるか否かの判別に用いられる。
【００６０】
また、ユーザが浴槽Ｂ内に入ったことを検出する方法としては、撮像センサ５による方法に加えて、水位検出センサ９および圧力センサなどを組み合わせて検出する方法も可能である。これにより、検出精度をより向上させることができる。
【００６１】
なお、この発明の範囲は上述した実施の形態に限定されるものではない。たとえば、給湯装置本体１に接続されるリモコンの数は、上記の実施形態に限定されるものではない。また、計測装置４は、給湯装置本体１内に設けられていてもよく、あるいは浴室リモコン３などと一体的に構成されていてもよい。これにより、通信経路が省略でき、伝送エラーの発生する可能性を極力少なくすることができる。
【００６２】
【発明の効果】
本願発明によれば、入浴者検出手段によって入浴者が検出されないとき、浴槽内には入浴者がいない旨を遠隔操作装置（たとえば台所リモコン）において報知する。一方、入浴者検出手段によって入浴者が検出され、かつ心拍数検出手段によって心拍数が検出されないとき、入浴者が異常状態にあるとしてその旨を台所リモコンにおいて報知する。そのため、台所リモコン近傍にいるユーザは、入浴者が浴槽内にいるのか否かが把握でき、さらに入浴者が浴槽内にいることが検出されているのにもかかわらず心拍数が検出されない場合、入浴者が浴槽内において異常状態にあることを確実に把握することができる。したがって、台所リモコンの表示を見て入浴者の様子を確認しているユーザは、入浴者の浴室内における状態が把握できないために、わざわざ浴室まで行って入浴者の状態を確認しなければならないといったことがなくなり、利便性の高い浴室システムを提供することができる。
【図面の簡単な説明】
【図１】本願発明にかかる浴室システムを示す概略構成図である。
【図２】図１の浴室システムの電気的構成を示す図である。
【図３】台所リモコンの正面図である。
【図４】浴室リモコンの正面図である。
【図５】計測装置の内部構成を示す図である。
【図６】本浴室システムの作用を説明するためのフローチャートを示す図である。
【図７】変形例の浴室システムを示す概略構成図である。
【符号の説明】
１    給湯装置本体
２    台所リモコン
３    浴室リモコン
４    計測装置
５    撮像センサ
６    心拍電極
９    水位検出センサ
１２    本体側マイコン
２５    台所側マイコン
３５    浴室側マイコン
４３    計測側マイコン
【図１】
2004337414.tif 000003
【図２】
2004337414.tif 000004
【図３】
2004337414.tif 000005
【図４】
2004337414.tif 000006
【図５】
2004337414.tif 000007
【図６】
2004337414.tif 000008
【図７】
2004337414.tif 000009